(57)【要約】【課題】他の装身具を傷つけることなく、しかも各種の装身具に着脱自在に取り付け可能な留め具付き装身具を提供すること。【構成】装身具体を構成する留め具部材保持台座３に設けられた複数の留め具部材２と、留め具部材２の端部のいずれか一方を軸支するように設けられた留め具回転軸２ａとを有し、留め具部材２の端部のいずれか他方が係止される留め具部材保持部３ａが設けられ、留め具部材２が留め具部材保持部３ａに係止されたときに、装身具体と留め具部材２との間に他の装身具の一部が挿通可能な複数の装身具保持空間５０が設けられている。【選択図】図２
0003115872.tif 000002
【実用新案登録請求の範囲】
【請求項１】
装身具体に設けられた複数の留め具部材と、上記留め具部材の端部のいずれか一方を軸支するように設けられた留め具回転軸とを有し、上記留め具部材の端部のいずれか他方が係止される留め具部材保持部が設けられ、上記留め具部材が上記留め具部材保持部に係止されたときに、上記装身具体と上記留め具部材との間に他の装身具の一部が挿通可能な複数の装身具保持空間が設けられていることを特徴とする留め具付き装身具。
【請求項２】
装身具本体部の裏側に設けられた留め具部材保持台座と、上記留め具部材保持台座に設けられた留め具回転軸受け部と、上記留め具保持台座に設けられた複数の留め具部材と、上記留め具回転軸受け部に上記留め具部材の端部のいずれか一方を軸支するように設けられた留め具回転軸とを有し、上記留め具部材保持台座に上記留め具部材の端部のいずれか他方と係止する留め具部材保持部が設けられ、上記留め具部材が上記留め具部材保持部に係止されたとき、上記留め具部材保持台座と上記留め具回転軸受け部と上記留め具部材とで囲まれた領域に他の装身具の一部が挿通可能な複数の装身具保持空間が設けられていることを特徴とする留め具付き装身具。
【請求項３】
前記留め具部材保持部は、前記留め具部材の端部のいずれか他方が挿入する留め具部材保持隙間と、前記留め具部材の前記他方の端部に設けられた凸部および凹部とそれぞれ嵌合する台座凹部および台座凸部とを有することを特徴とする請求項１または２記載の留め具付き装身具。
【請求項４】
前記留め具部材の端部のいずれか他方の先端に、磁石または磁性体を設け、前記留め具部材保持部に、上記磁石とは極性の異なる磁石もしくは磁性体または磁石のいずれかを設けたことを特徴とする請求項１、２または３記載の留め具付き装身具。
【請求項５】
前記留め具部材保持台座の中央または両端部に前記留め具回転軸を有する前記留め具回転軸受け部を設け、２つの前記留め具部材のそれぞれの端部のいずれか一方は、前記留め具回転軸でそれぞれ軸支され、前記留め具部材の端部のいずれか他方は、前記留め具部材保持台座の両端部または中央に設けられた前記留め具部材保持部に係止されることを特徴とする請求項２から４のいずれか１項に記載の留め具付き装身具。
【請求項６】
前記留め具部材保持部は、前記装身具体に設けられた押さえピン受け部と、前記押さえピン受け部に設けられた押さえピン挿入穴部に挿入される押さえピン部材とを有し、上記押さえピンが押し込まれたとき、前記留め具部材が前記押さえピンと接触するように構成されていることを特徴とする請求項１または２記載の留め具付き装身具。
【請求項７】
前記留め具部材の前記装身具保持空間側の面に、凹凸面または弾性部材からなる滑り止め部が設けられていることを特徴とする請求項１から６のいずれか１項に記載の留め具付き装身具。
【請求項８】
前記留め具部材は、前記装身具保持空間が半円形状になるように円弧形にされていることを特徴とする請求項１から７までのいずれか１項に記載の留め具付き装身具。
【請求項９】
前記留め具部材は、前記留め具回転軸を中心に「へ」の字型に配置されていることを特徴とする請求項１から８のいずれか１項に記載の留め具付き装身具。
【請求項１０】
複数の前記留め具部材が、個々に動作可能に設けられていることを特徴とする請求項１から９までのいずれか１項に記載の留め具付き装身具。
【請求項１１】
前記留め具部材が、三個以上であって一列になるように、または１点で交叉するように設けられていることを特徴とする請求項１から４のいずれか１項に記載の留め具付き装身具。
【考案の詳細な説明】
【技術分野】
【０００１】
本考案は、留め具付き装身具に関する。
【背景技術】
【０００２】
最近の身につけるファッション部品の傾向は、他人との違いを強調する個性的な趣向のものが、より多くの人に好まれるようになってきている。身体に装着するファッション部品の使用途も多様化しており、ネックレスやスカーフといったものに使用されている。例えば、一例としてネックレスのような長尺のものを身につける場合に、首からぶら下がっている部分を途中で束ねて、長さを調節するには、色々な彩りのあるリング状の輪ゴムや、金属またはプラスチックスなどでチェーン状となったものや、簡単な留め具などを使用している。またスカーフなどでも同様に、束ねたり、ピン留めされたりする扱いが一般的に行われている。
【０００３】
しかしながら、上述のように、現代は、個性的な面がより強調される風潮が高まっていることから、ネックレスやスカーフなどを束ねる手段などにも、装飾品としてのファッション性を有するとともに見栄えが良いものが求められている。このような場合、その束ねる手段としては、留め具が用いられている。
【０００４】
また、ネックレスなどを一つに束ねるものとして、特許文献１（特開２０００−２３７１９号公報）では、ブロックに２つの縦穴を設け、この縦穴にワイヤなどを導くワイヤ導入用切り込みがＬ字型に設けられ、この切り込みを利用することによって、ネックレスなどを束ねることができる記載がある。また、本発明者が先に出願したところの特許文献２（特開２００３−２１０２１３号公報）には、ピンを挟んで２つの湾曲片が設けられ、この湾曲片の空間部にネックレスを挟んで固定することが開示されている。
【０００５】
また、図１０に示すように、装身留め具１００の装飾部材台座部１００ａに固着された留め具部材回転軸受け部１００ｂの一方の端部に設けられた留め具回転軸２００ａで、他方の端部に設けられた留め具把手２００ｂを押し下げることにより、留め具部材２００を回転可能に支持し、複数の凹部、すなわち装身具保持隙間２０１で、例えば、ネックレスの真珠などを押さえてネックレス等を束ねるものがある。さらに、図１１に、ダイヤなどの装飾部材１００ａ１を取り付けたこの装身留め具１００でチェーン状のネックレス装身具１０１を束ねた様子を示す。このように、装身留め具１００は、チェーン状のネックレスを束ねると好適であり、しかも装飾的にも秀いでたものとなる。
【０００６】
【特許文献１】特開２０００−２３７１９号公報（要約書）
【特許文献２】特開２００３−２１０２１３号公報（要約書）
【考案の開示】
【考案が解決しようとする課題】
【０００７】
ネックレスやスカーフなどを体に装着するにあたって、身につけた時の見栄えを良くする必要がある。そのために、長さを縮めたり形状を種々変えたりすることが行われる。このようなときには、ピンやクリップなどが多く用いられる。しかし、これらのピンやクリップなどの留め具は、確実な留め状態が得られなかったり、長期に使用した場合、装着される衣服等を痛めやすかったりして、装身具としての用途も限定される傾向があった。
【０００８】
例えば、上述の特許文献１では、真珠などをつないだネックレスのワイヤを嵌め込むこととしているが、ワイヤを小さいワイヤ導入穴に嵌め込むことは容易ではない。また、ワイヤを束ねることから、束ねようとする対象物も限定的となる。すなわち、チェーン状のものやスカーフなどの装身具等を束ねるのには不都合である。
【０００９】
また、特許文献２（特開２００３−２１０２１３号公報）でも、種々の装身具を束ねるのは可能であるが、ピンで差し込む構造となっているため、束ねる機能や、装飾的な機能は良いが、装身具を束ねるための扱いやすさ、すなわち操作性には、さらに改良の余地が残っている。
【００１０】
図１０，１１に示す装身留め具１００は、扱いやすくしかも装飾的に秀でているが、束ねるものが狭くなった隙間２０２に挟み込まれた場合、留め具部材２００は、完全には閉じることができない状態に落ち入る。このような状態が生じると、束ねることができなくなるばかりか、装身具を切断してしまう事故や傷つくという問題が生じる。しかも、この装身留め具１００は、ネックレスを束ねるもので、用途は限定的である。
【００１１】
そこで、本考案は、上述の問題点を解決するためになされたもので、他の装身具を傷つけることなく、しかも各種の装身具に着脱自在に取り付け可能な留め具付き装身具を提供することを目的とする。
【課題を解決するための手段】
【００１２】
本考案の留め具付き装身具は、装身具体に設けられた複数の留め具部材と、留め具部材の端部のいずれか一方を軸支するように設けられた留め具回転軸とを有し、留め具部材の端部のいずれか他方が係止される留め具部材保持部が設けられ、留め具部材が留め具部材保持部に係止されたときに、装身具体と留め具部材との間に他の装身具の一部が挿通可能な複数の装身具保持空間が設けられている。
【００１３】
このような構成とすると、例えばネックレス、チェーン、スカーフ、ベルト、腕輪など各種の装身具に着脱自在に取り付け可能となり、これらの装身具の長さを調節したり、束ねることにより、輪の大きさを自由に変えたりすることが可能であると共に、それ自体がブローチやペンダントの様な装身具としての機能も備え、かつ束ねられる装身具を傷つける危険性が少ないものとなる。
【００１４】
また、装身具本体部の裏側に設けられた留め具部材保持台座と、留め具部材保持台座に設けられた留め具回転軸受け部と、留め具保持台座に設けられた複数の留め具部材と、留め具回転軸受け部に留め具部材の端部のいずれか一方を軸支するように設けられた留め具回転軸とを有し、留め具部材保持台座に留め具部材の端部のいずれか他方と係止する留め具部材保持部が設けられ、留め具部材が留め具部材保持部に係止されたとき、留め具部材保持台座と留め具回転軸受け部と留め具部材とで囲まれた領域に他の装身具の一部が挿通可能な複数の装身具保持空間が設けられている。
【００１５】
このような構成とすると、例えばネックレス、チェーン、スカーフ、ベルト、腕輪など各種の装身具に着脱自在に取り付け可能となり、これらの装身具の長さを調節したり、束ねることにより輪の大きさを自由に変えたりすることが可能であると共に、それ自体がブローチやペンダントの様な装身具としての機能も備え、かつ束ねられる装身具を傷つける危険性が少ないものとなる。
【００１６】
さらに、留め具部材保持部は、留め具部材の端部のいずれか他方が挿入する留め具部材保持隙間と、留め具部材の前記他方の端部に設けられた凸部および凹部とそれぞれ嵌合する台座凹部および台座凸部とを有するのが好ましい。このような構成にすると、装身具保持空間を大きくすることができるので、束ねる対象物の範囲が拡大する。
【００１７】
また、留め具部材の端部のいずれか他方の先端に、磁石または磁性体を設け、留め具部材保持部に、磁石とは極性の異なる磁石もしくは磁性体または磁石のいずれかを設けるのが好ましい。このような構成にすると、構造が簡単になるので、留め具付き装身具を作りやすくなる。
【００１８】
他の考案は、上述の考案に加え、留め具部材保持台座の中央または両端部に留め具回転軸を有する留め具回転軸受け部を設け、２つの留め具部材のそれぞれの端部のいずれか一方は、留め具回転軸でそれぞれ軸支され、留め具部材の端部のいずれか他方は、留め具部材保持台座の両端部または中央に設けられた留め具部材保持部に係止されている。このような構成にすると、２つの留め具部材が留め具部材保持台座の中央を中心として対称的に開くことが可能となり、使用者が扱い易くなる。
【００１９】
さらに他の考案は、上述の考案に加え、留め具部材保持部は、装身具体に設けられた押さえピン受け部と、押さえピン受け部に設けられた押さえピン挿入穴部に挿入される押さえピン部材とを有し、押さえピンが押し込まれたとき、留め具部材が押さえピンと接触するよう構成されている。このような構成にすると、押さえピンの挿入という動作で複数の留め具部材の係止が可能となる。
【００２０】
さらにまた、留め具部材の装身具保持空間側の面に、凹凸面または弾性部材からなる滑り止め部が設けられるのが好ましい。このような構成にすると、装飾品を束ねたときに、ずれることが少なくなる。特に、ビーズを用いたストラップや腕輪などを束ねるのに好ましい。
【００２１】
また、留め具部材は、半円形形状となるような円弧形とされるのが好ましい。このような構成にすると、束ねる対象物が特殊な形状のものであっても、制約なく束ねることができる。すなわち、くさり状の装身具例えば手に巻き付けたり、腰に巻き付けたりするバンドなどを容易に束ねることができる。また、留め具付き装身具を身につけた場合に、身体に傷や痛み等が生じる危険性が少ないものとなる。
【００２２】
さらに、留め具部材は、留め具回転軸を中心に「へ」の字型に配置されるのが好ましい。このような構成にすると、束ねた装身具が絡み合うことが少なくなる。
【００２３】
さらにまた、複数の留め具部材が、個々に動作可能に設けられるのが好ましい。このような構成にすると、種類の異なる装身具、例えば２つの留め具部材のときは、片方のみ開いたり、両方を同時に開いたり、両方を片方ずつ順番に開いたり等の開き方ができ、数多くの留め方が利用できるようになる。
【００２４】
また他の考案は、留め具部材が、三個以上であって一列になるように、または１点で交叉するように設けられている。このような構成にすると、種類の異なる装身具、例えば使用中に大きな力のかかる腰ベルトや、またチェーンやビーズを用いたものも、一緒に束ねることができる。
【考案の効果】
【００２５】
本考案によれば、例えばネックレス、チェーン、スカーフ、ベルト、腕輪など多種の装身具を着脱自在に取り付け可能として、これらの装身具の長さを調節したり、束ねることにより、輪の大きさを自由に変えたりすることが可能であると共に、それ自体がブローチやペンダントの様な装身具としての機能も備え、かつ束ねられる装身具を傷つける危険性が少ないものとなる。
【考案を実施するための最良の形態】
【００２６】
本考案の留め具付き装身具についての実施の形態を、以下に図を用いて説明する。なお、各図中において、同じ機能を有するものは同じ記号を付して、説明することとする。
【００２７】
図１は、本考案の第１の実施の形態に係る留め具付き装身具１０を説明するための斜視図である。この留め具付き装身具１０は、装身具本体部１と、２つの留め具部材２，２と、留め具部材保持台座３とから主に構成される。
【００２８】
留め具付き装身具１０の装身具本体部１の表側は図示していないが、装飾部材、例えば種々な宝石類が備え付けられたり、また彫刻等が施されたりしている。留め具部材２は、ネックレス等を束ねたり、またそれ自体を被服等に取り付けたりする機能を有する部分である。また、装身具本体部１の裏側には、装身具本体部１とともに装身具体を構成する留め具部材保持台座３が設けてある。
【００２９】
この留め具部材保持台座３には、留め具回転軸受け部２０が設けられ、その留め具回転軸受け部２０には、留め具回転軸２ａが留め具部材保持台座３の平面に対して水平方向に突き刺さった状態で設けられている。この留め具回転軸２ａは、各円弧状の留め具部材２の一方の端部を留め具回転軸２ａで軸支し、回転させて開閉させる構成となっている。留め具部材２と留め具部材保持台座３と留め具回転軸受け部２０とで囲まれた領域として設けられている２つの装飾部品保持空間５０には、図示しないが、装身具、例えばネックレス、チェーン、スカーフ、ベルト、腕輪などが保持される。
【００３０】
なお、図１では、留め具部材保持台座３を装身具本体部１とは別個に設けるように構成してあるが、この留め具部材保持台座３を省略して、装身具本体部１を留め具部材保持台座３として兼ねるようにすることもできる。また、留め具部材保持台座３は、任意の形状とすることができる。しかし、以後の説明においては、説明を分かりやすくするために、留め具部材保持台座３を長方形のものとして図示し、説明することとする。
【００３１】
図２（Ａ）は、留め具部材２と留め具部材保持台座３と留め具回転軸受け部２０とで構成される装身具保持部１０ａを示す図で、図１に示した留め具付き装身具１を、Ｘ−Ｘ’で垂直方向に切断した部分断面図である。また、図２（Ｂ）は、図２（Ａ）の留め具回転軸受け部２０をＸ−Ｘ’で切断した部分断面図である。この留め具回転軸受け部２０は、留め具回転軸２ａと、後述する留め具回転隙間２０ａと、後述する留め具外側回転片部２ａ１および留め具内側回転片部２ａ２とで構成される。また、図２（Ｃ）は、図２（Ｂ）の回転部分の部分斜視図である。
【００３２】
図２（Ａ）で示すように、装身具保持部１０ａは、留め具回転軸２ａを中心に、左右一対の留め具部材２が配設されて形成されている。すなわち、この留め具部材２は、その一方の端部が、留め具部材保持台座３の中央付近に設けられた留め具回転軸受部２０の留め具回転軸２ａに軸支され、図示したように矢印方向に回転して、開閉可能となるように構成されている。また、この留め具部材２の他方の端部は、留め具部材保持台座３の両端部に設けられた空隙である留め具部材保持隙間３ｄに係止されるように構成されている。なお、留め具部材保持隙間３ｄは、留め具部材保持部３ａの一部となっている。また、図２では留め具回転軸受け部２０は、留め具部材保持台座３の中央付近に設けてあるが、実際には留め具回転軸受け部２０は、図で例示したような長方形とは限らないし、また装身具本体部１との関係で必ずしも中央付近でなければならないとは限らない。
【００３３】
この留め具部材２の他方の端部には、留め具部材保持隙間３ａに面して設けられた凹部となる台座凹部３ｃおよび留め具部材保持隙間３ｄの中に突き出るように形成された台座凸部３ｂとそれぞれ嵌合する凸部２ｂおよび凹部２ｃが設けられている。したがって、留め具部材２の他方の端部が、留め具部材保持隙間３ｄに入り込み、嵌合・係止されたとき、留め具部材２は、留め具部材保持隙間３ｄから簡単に外れないようになっている。ここで、台座凸部３ｂと台座凹部３ｃは、留め具保持隙間３ｄとともに留め具部材保持部３ａを構成している。なお、図示しないが、台座凹部３ｃおよび台座凸部３ｂとそれぞれ嵌合する凸部２ｂおよび凹部２ｃは、留め具部材２の最も外側で外向きに形成され、一方、台座凹部３ｃおよび台座凸部３ｂは、それぞれ最も外側で内向きに形成されているが、留め具部材保持隙間３ａ内の反対の場所で嵌合するように設けても良い。
【００３４】
なお、留め具保持隙間３ａに磁石または例えば鉄のような磁性体である材料のいずれかを嵌め込むとともに、留め具部材２の他方の端部に上述の磁石または磁性体と磁力で引き合うように磁石または磁性体を設けて、装身具保持空間５０を形成させても良い。
【００３５】
留め具回転軸受け部２０は、図２（Ｂ）で示すように、留め具回転軸受け部２０の中央部が削り取られ、溝状の隙間となっている留め具回転隙間２０ａを有している。留め具回転軸２ａは、この溝状の留め具回転隙間２０ａを垂直に横切るように橋渡しされて設けられている。この留め具回転軸２ａは、一方の留め具部材２の留め具回転軸２ａで軸支される端部に設けられた２つの留め具外側回転片部２ａ１と、他方の留め具部材２であって、留め具外側回転片部２ａ１の両者間に配設された留め具内側回転片部２ａ２とを貫通している。留め具回転軸２ａの回りを、各回転片部２ａ１、２ａ２が回転することにより、留め具部材２が開閉するようになっている。
【００３６】
なお、図２（Ｂ）では、一方の留め具部材２の留め具外側回転片部２ａ１を２個設けた様子を図示しているが、この留め具外側回転片部２ａ１を他方の留め具部材２の留め具内側回転片部２ａ２と同じように１個として、留め具回転軸２ａで回転可能に軸支しても良い。また、留め具外側回転片部２ａ１を３個とし、留め具内側回転片部２ａ２を２個とするなど、必要に応じて任意に設けることができる。
【００３７】
図２（Ｃ）は、留め具外側回転片部２ａ１と留め具内側回転片部２ａ２が、留め具回転軸２ａで軸支されている様子をさらに詳しく示す斜視図である。このように、留め具部材２の一方の端部を留め具回転軸２ａで回転可能に軸支して、開閉可能とさせることにより、どんな形状のネックレスやチェーンあるいはベルトさらには和装用の帯締めのような長尺の紐状の装身具であっても、また、スカーフなどのように、束ねるときにボリュームを必要とする様な装身具であっても、さらには腕輪や靴紐等であっても、装身具保持空間５０で容易に束ねることができ、身につけたときの見栄えを損なうこともない。
【００３８】
次に、本考案の留め具付き装身具１０の第２の実施の形態に係る留め具付き装身具１０Ａを、図３に示す。この第２の実施の形態が、上述の第１の実施の形態と異なる主要な点は、留め具回転軸受け部２０を中心にして左右の位置の留め具部材保持台座３上に留め具部材保持部３１が設けられている点である。よって、この相違点を中心に説明する。また、実施の形態１と同一の部材または同種の部材は、同一の符号を用いて説明する。
【００３９】
この留め具付き装身具１０Ａの装身具保持部１０aは、留め具部材２と、留め具部材保持台座３と、留め具部材保持台座３に突出して２つ設けられた留め具回転軸受け部２０と、留め具回転軸受け部２０を中心として左右の位置に突出して配設された２つの留め具部材保持部３１と、各留め具部材２と留め具部材保持台座３と留め具回転軸受け部２０とで囲まれる２つの装身具保持空間５０とで構成されている。
【００４０】
留め具部材２の一方の端部が、留め具回転軸受け部２０の留め具回転軸２aに軸支されて、図示したように矢印方向に回転して、開閉可能となるように構成されているのは、実施の形態１と同様である。また、留め具回転軸受け部２０の左右に配設された留め具部材保持部３１には、留め具部材２の他方の端部が出入可能な穴様の隙間である留め具部材保持隙間３ｄが設けられている。この、留め具部材保持隙間３ｄの内面は、留め具部材保持隙間３ｄの底部側に留め具部材２の凸部２ｂと嵌合する台座凹部３ｃと、留め具部材２の凹部２ｃと嵌合する台座凸部３ｂとが設けてある。なお、図３では、留め具部材保持隙間３ｄの留め具回転軸２ａ側に、台座凸部３ｂおよび台座凹部３ｃとが設けられ、留め具部材２の他方の端部でかつ留め具回転軸２ａ側に、凸部２ｂと凹部２ｃが設けられているが、これらは共に、留め具回転軸２a側に対して遠い側に設けても良い。このように、留め具部材保持部３１を留め具保持台座３から突出させて設けることにより、留め具部材２を留め具部材保持隙間３ｄに挿入・係止したり、また外したりするのが容易となる。
【００４１】
図３（Ｂ）、（Ｃ）は、装身具保持部１０aを、図３（A）を下から見た図である。図３（Ｃ）は、図３（Ｂ）の変形例で、この図３（Ｂ）と図３（Ｃ）との主要な相違点は、２つの留め具部材２，２の配置形状の違いである。すなわち、図３（B）に示されるように、２つの留め具部材２，２が、留め具部材保持台座３に設けられた留め具回転軸受け部２０から留め具回転軸２ａを中心にして、一直線状に配置されている。また、図３（Ｃ）は、２つの留め具部材２，２は、留め具部材保持台座３に設けられた留め具回転軸受け部２０から留め具回転軸２ａを中心にして、「へ」の字型に配置されている。これらの留め具部材２の他方の端部は、留め具部材保持部３１に設けられた留め具部材保持隙間３ｄに挿入されて嵌合・係止される。なお、このような「へ」の字型の配置は、上述の実施の形態１や以後の実施の形態にも応用できる。
【００４２】
また、上述の一直線状に配置されたものと、「へ」の字型に配置されたものとは共通点が多いので、重複を避けるため、以後の説明においては、「へ」の字型の構成については、記載を省略することとする。なお、一直線上に配置する構成とすると、構成部品が作りやすく、また組立も簡単である。また、「へ」の字型の配置とすることにより、ネックレスやチェーンあるいはスカーフ、腕輪などの装身具を束ねたときに、裾側が交叉することが少なくなり、使用感が向上する。
【００４３】
本考案の第３の実施の形態に係る留め具付き装身具１０Bを、図４に示す。この留め具付き装身具１０Ｂも、装身具本体部１を示していないが、実施の形態１と同様な装身具本体部１に、装身具保持部１０ａが設置される。装身具保持部１０ａが、上述の第１の実施の形態や第２の実施の形態と異なる主要な点は、留め具部材２の他端側と装身具保持台座３のいずれか一方に磁石４を設け、いずれか他方に磁石４と磁力で引き合う様な極性の異なる磁石４または例えば鉄のような磁性体４ａをそれぞれ設けて、留め具部材２が装身具保持台座３に係止可能となるように構成されている点にある。
【００４４】
図４に示す例では、留め具部材２の一方の端部は、留め具回転軸受け部２０の留め具回転軸２ａで軸支され、他方の端部には、磁性体４ａが固着されている。この磁性体４ａは、留め具部材２が閉じられたときに、装身具保持台座３に設けられた磁石４と引き合い、合体して係止される。なお、上述したように、係合する部分を極性の異なる磁石４としたり、留め具部材２の他方の端部に磁石４を設け、装身具保持台座３に磁性体４ａを設けたりするようにしても良い。このように、磁石４を用いることにより、構造は簡単になり、製造しやすくなると共に、留め具付き装身具１０Ｂとして使用するに当たって、扱いやすくなる。
【００４５】
本考案の第４、第５の実施の形態に係る留め具付き装身具１０Ｃ，１０Ｄを、図５（Ａ）、（Ｂ）を用いて説明する。この留め具付き装身具１０Ｃおよび１０Ｄも、装身具本体部１を示していないが、実施の形態１と同様な、装身具本体部１に装身具保持部１０ａが設置される。図５（Ａ）、（Ｂ）に示す装身具保持部１０ａが、上述の第１から第３までの実施の形態と異なる主要な点は、留め具部材保持台座３の両端部に設けられた留め具回転軸受け部３２に設けられた留め具回転軸２ａに、留め具部材２の一方の端部が軸支されている点と、留め具回転軸受け部３２の構造の点である。
【００４６】
２つの留め具部材２は、図示したように矢印方向に回転して開閉し、装身具保持台座３の中央に設けた留め具部材保持部の一種である両側留め具部材保持部３３の留め具部材保持隙間となる両側保持隙間３ｅに挿入されて係止される。すなわち、装身具保持台座３の両端部には、装身具保持台座３より突出して、留め具回転軸受け部３２がそれぞれ設けられている。各留め具回転軸受け部３２は、１つの留め具回転軸２ａと、中央に設けられ留め具回転隙間２０ａ内に入り込む１つの留め具部材２の一方の端部を、支持する構造とされている留め具部材２の一方の端部は、この留め具回転軸受け部３２に設けられた留め具回転軸２ａで軸支され、両側留め具部材保持部３３を中心とした対称的な動き、すなわち、図示したように矢印方向の両側に開閉が可能となっている。
【００４７】
また、留め具付き装身具１０Ｃの装身具保持台座３に設けられた両側留め具保持部３３に設けられている両側保持隙間３ｅに、留め具部材２の他方の端部が挿入されると、留め具部材２は嵌合・係止される。すなわち、留め具部材２の凸部２ｂと凹部２ｃと、両側留め具部材保持部３３の保持凸部３ｂと保持凹部３ｃとが嵌合するようにして係止される。このような構造とすると、留め具部材２を観音開きのような両開きにすることとなるので、両開きすることにより開口面（開口された幅）が大きくなり、装身具類を束ねるための取り扱いが容易になる。
【００４８】
なお、図５（Ａ）では、両側留め具保持部３３に両側保持隙間３ｅを１個だけ設けて、留め具部材２の他方の端部が２つ挿入されるように図示してあるが、この両側保持隙間３ｅの中央部に仕切を設けて、２つの隙間（図示せず）を設けるようにしても良いし、また図３に示すような留め具保持部３１を２個（図示せず）並べて設け、２つの両側保持隙間３ｅを設ける構成としても良い。
【００４９】
図５（Ｂ）は、第４の実施の形態の変形例を示す図で、留め具付き装身具１０Ｄの留め具部材２の一方の端部は、端部留め具回転軸受け部３２に設けられた回転軸部２ａで軸支されている。また、他方の端部には、例えば鉄のような磁性体４ａが設けられている。さらに、留め具部材保持台座３の両側留め具保持部３３には、磁石４を設けて、矢印方向に開閉・係止されるようにしてある。なお、図５（Ｂ）では、磁石４と磁性体４ａとが引き合うようにしてあるが、両方を磁石４としたり、あるいは、留め具部材２に磁石４を設け、留め具部材保持台座３に磁性体４ａを設けたりしても良い。このようにすると、構造が簡単になると共に、扱いやすくなり、どんな装身具でも容易に束ねることができる。
【００５０】
図６は、本考案の第５の実施の形態に係る留め具付き装身具１０Ｅを示す側面図である。この留め具付き装身具１０Ｅも、装身具本体部１を示していないが、実施の形態１と同様な装身具本体部１に装身具保持部１０ａが設置される。この第５の実施の形態が、上述の第１から第４までの実施の形態と異なる主要な点は、装身具保持台座３に突出して設けられた押さえピン受け部５に、留め具部材２を押さえピン部材６で係止させるようにしてある点である。すなわち、装身具保持部１０ａは、留め具部材保持台座３と、留め具部材２と、留め具部材保持台座３に突起状に設けられた押さえピン受け部５と、押さえピン部材６とで構成される。留め具部材２は、一方の端部が、留め具部材保持台座３に設けられた端部留め具回転軸受け部３２に設けられた留め具回転軸２ａに軸支されて、図示したように矢印方向に回転して開閉可能となっている。さらに、留め具部材２は、他方の端部が、留め具部材２の中心に近づくような渦巻き状とされ、その先端は、留め具部材保持台座３に対してより垂直方向より内側に、渦巻くように巻き込まれる形状となって巻き込み部２ｄを構成している。
【００５１】
留め具部材保持台座３には押さえピン受け部５が、突出して設けられている。この押さえピン受け部５には、押さえピン挿入穴部５ａが設けてある。この押さえピン挿入穴部６ａの内面には、それぞれ少なくとも１個の押さえピン挿入穴凹部５ｂと押さえピン挿入穴凸部５ｃとが交互に設けられている。一方、押さえピン部材６は、上述の押さえピン挿入穴部５ａに挿入される押さえピン軸部６ｂと、押さえピン軸部６ｂより幅広の押さえピン頭部６ａとで構成されている。この押さえピン軸部６ｂには、押さえピン挿入穴凹部５ｂと押さえピン挿入穴凸部５ｃとかみ合って係止するように、押さえピン凸部６ｃと押さえピン凹部６ｄとが設けられている。
【００５２】
留め具部材２を閉じるときは、巻き込み部２ｄが押さえピン受け部５に接触しつつ押し込まれる。これによって、留め具部材２は、摩擦抵抗で押さえピン受け部５に一次的に係止される。さらに、この押し込まれた留め具部材２は、押さえピン部材６が押さえピン挿入穴部５ａに挿入されたとき、押さえピン頭部裏面６ａ１に接触して押さえつけられる。これによって、留め具部材２が誤って開くのを二重に防止する働きを有している。このような構成にすると、貴重な装身具１０Ｅを誤って落下したり、あるいは紛失したり、さらには束ねる装飾部品がほどけたりすることがなくなり、安全度が向上する。
【００５３】
図７（Ａ）、（Ｂ）は、本考案の留め具付き装身具１０、１０Ａ、１０Ｂ、１０Ｃ、１０Ｄ、１０Ｅ（図７では、留め具付き装身具１０を例示）を用いて、装身具、例えばネックレス１ａ（図７（Ａ）参照）やスカーフ１ｂ（図７（Ｂ）参照）を束ねて身につけている様子を示す概念図である。ネックレス１ａやスカーフ１ｂを留め具付き装身具１０で束ねたときは、ネックレス１ａの端部１ａ１やスカーフ１ｂの裾部１ｂ１を、見栄え良く開いた状態にすることもできる。
【００５４】
以上、本考案の各実施の形態に係る留め具付き装身具１０，１０Ａ，１０Ｂ、１０Ｃ、１０Ｄ、１０Ｅを説明したが、本考案はこれに限定されることなく、本考案の要旨を逸脱しない限り、種々変更実施可能である。以下、これについて説明する。
【００５５】
図８（Ａ）は、本考案の各実施の形態の第１の変形例、具体的には本考案の実施の形態に係る留め具付き装身具１０，１０Ａ、１０Ｂの装身具保持部１０ａの変形例を示す図である。留め具回転軸２ａで回転可能に軸支された留め具部材２の装身具保持空間５０側を、凹凸面からなる滑り止め部２ｅとしたものである。
この滑り止め部２ｅは、ゴム等の弾性部材や、摩擦係数の高い部材を貼り付けたり、梨地面のようにざらつき面としたりすることで、滑り止め部２ｅとしても良い。このようにすることにより、上述の装身具、例えばネックレス１ａやスカーフ１ｂなどがずれることなく、またビーズを用いたストラップや腕輪なども好ましい形状で留めておくことが可能となる。
【００５６】
図８（Ｂ）は、本考案の各実施の形態の第２の変形例で、具体的には、留め具付き装身具１０、１０Ａの装身具保持部１０ａの変形例を示す図である。すなわち、留め具部材保持台座３に突出して設けられた留め具回転軸受け部２０に、一方の端部が留め具回転軸２ａで回転可能に軸支されている三角形の形状をした角形留め具部材４０が設けられている。また、他方の端部は、基本的には図３（Ａ）と同様な構成で、留め具部材保持部３１の留め具部材保持隙間３ｄに嵌合・係止される。このような角形にすることにより、角形の形状をしたネックレスや、くさり状の装身具例えば手に巻き付けたり、あるいは腰に巻き付けたりするバンドやベルト、さらには和装用の帯締めなどを確実に束ねることが可能となる。なお、図８（Ｂ）では、形状を三角形としたが、必要に応じて四角形としたり、五角形としたりしても良い。さらに、留め具回転軸部２０を中心に左右に留め具部材保持部３１を設けてあるが、図５に示したように両側留め具保持部３３の左右に端部留め具回転軸受け部３２を設けるようにしても良い。
【００５７】
図９（Ａ）、（Ｂ）は、本考案の各実施の形態の第３，第４変形例で、各実施の形態に係る装身具保持部１０ａの部分を示す図である。この第３、第４の変形例は、留め具部材２を３つ以上設ける例を示す装身具保持部１０ａの様子を示す図である。これらの変形例では、留め具回転軸受け部と、留め具部材保持部とが、それぞれ複数組み合わせて用いられている。
【００５８】
図９（Ａ）の装身具保持部１０ａでは、留め具付き装身具１０Ａの留め具回転軸受け部２０と、留め具部材保持部３１に加え、留め具付き装身具１０Ｃの両側留め具保持部３３と１つの留め具部材２のみを支持する留め具回転軸受け部２０’とを有する。図９（Ｂ）の装身具保持部１０ａでは、留め具付き装身具１０Ａの留め具回転軸受け部２０と、留め具部材保持部３１がそれぞれ２つと、留め具付き装身具１０Ｃの１つの両側留め具保持部３３とを有する。これらに合わせて、複数、図９（Ａ）では３つ、図９（Ｂ）では４つの留め具部材２が、それぞれ設けられている。
【００５９】
装身具保持部１０ａは、上述のように、留め具部材２が２つからなるもの、３つからなるもの、４つからなるものの他に、１つのものや５つ以上のものとすることができる。これらユニット化して設けられている装身具保持部１０ａを複数用いることで、さらに多種類の装身具を束ねさせることができる。したがって、この留め具付き装身具１０、１０Ａ、１０Ｂ、１０Ｃ、１０Ｄ、１０Ｅの用途を拡大させることができる。特に、腰ベルトや和装用の帯締めのように使用中に大きな力のかかるものや、装飾部材例えばチェーンやビーズを用いたものなど、これらを多くまとめて身につけたいような場合には、効果的である。
【００６０】
上述の各実施の形態や変形例では、各留め具部材２、４０は、それぞれ単独で動作可能、すなわち単独で開閉可能に形成されていたが、１つの留め具部材２，４０が開くと他の留め具部材２，４０もその動作に連動して開くようにしても良い。なお、各留め具部材２，４０が独自に動作可能とすると、１つの留め具部材２，４０のみを開閉し、他は閉じたままとしたり、全ての留め具部材２，４０を開閉させたりできる。全ての留め具部材２，４０を開閉する場合も、１つずつ順に開けたり、閉じたりしたり、複数同時に開けたり、閉じたり、または開けるときは、１つずつで、閉じるときは同時というように、数多くの開閉動作を選択できる。このため、数多くの留め方や複雑な留め方を採用することが可能となる。
【００６１】
また、上述の各実施の形態や変形例では、各留め具部材２，４０を一列に並べたり、「へ」の字形に並べたものを示したが、時計の時針、分針、秒針が３時５９分４０秒を指したとき、すなわち、各針が、ほぼ１２０度間隔にて配置されているような状態の各針が、留め具部材２、４０となるような配置としても良い。この配置は、３つの留め具部材の場合であるが、４つの留め具部材のときは、同様に９０度間隔にて配置されるようにしても良い。いずれの場合でも、交叉する中心部には、留め具部材保持部を形成しても良く、また、代わりに留め具回転軸受け部を設けるようにしても良い。
【００６２】
この装身具保持部１０ａは、使用時に簡単に折れたり、変形したりしない強度あるいは性質を有していれば、美的外観や商品価値を低下させることがないかぎり、材料についての格別な制限はない。すなわち、留め具部材２と装身具体を構成する留め具部材保持台座３（または、装身具本体部１）とは、金属と金属あるいは金属とプラスチックス（特に強化プラスチックス、以下同じ）、プラスチックスとプラスチックスとの組み合わせが可能である。プラスチックスの場合は、射出成形や圧縮成形などを採用することができる。また、また、プラスチックスには、めっき、蒸着、スパッタリング、イオンプレーティング等で金属や無機質の皮膜を形成したものを用いても良い。さらに、金、銀、プラチナといった貴金属を用いても良いし、銅やステンレスあるいはアルミ合金やアルマイトしたアルミニウム合金などを用いても良い。さらにまた、必要に応じ、金、ロジュウム、パラジュウム、銀、プラチナなどの貴金属めっきを施しても良い。
【００６３】
この留め具付き装身具１０，１０Ａ、１０Ｂ，１０Ｃ、１０Ｄ、１０Ｅは、他の装身具を束ねるのに好適であるが、例えば、留め具部材２、４０の先端を尖らすことで、それ自体を衣服等に飾り付けることができる。
【図面の簡単な説明】
【００６４】
【図１】本考案の第１の実施の形態に係る留め具付き装身具裏側を示す斜視図である。
【図２】図１の留め具付き装身具の装身具保持部を示す図で、（Ａ）は、図１のＸ−Ｘ’で切断した部分断面図で、（Ｂ）は、図２（Ａ）のＸ−Ｘ’で切断した留め具回転軸受け部の部分断面図で、（Ｃ）は、留め具回転軸の周辺部分の斜視図である。
【図３】本考案の第２の実施の形態に係る留め具付き装身具の装身具保持部を示す図で、（Ａ）は、装身具保持部の側面図で、（Ｂ）、（Ｃ）は、（Ａ）の下方から装身具保持部を見た図で、（Ｃ）は（Ｂ）の変形例を示す図である。
【図４】本考案の第３の実施の形態に係る留め具付き装身具の装身具保持部の側面図である。
【図５】本考案の第４の実施の形態に係る留め具付き装身具の装身具保持部を示す図で、（Ａ）は、第４の実施の形態を示す側面図で、（Ｂ）は、第４の実施の形態の変形例を示す側面図である。
【図６】本考案の第５の実施の形態に係る留め具付き装身具の装身具保持部の側面図である。
【図７】本考案の各留め具付き装身具を用いた例を示す概念図で、（Ａ）は、ネックレスに用いた例を示す概念図で、（Ｂ）は、スカーフに用いた例を示す概念図である。
【図８】本考案の各留め具付き装身具の変形例を示す図で、図８（Ａ）は、第１の変形例を示す装身具保持部の部分側面図であり、図８（Ｂ）は、第２の変形例を示す装身具保持部の部分側面図である。
【図９】本考案の各留め具付き装身具のさらなる変形例を示す図で、図９（Ａ）は、第３の変形例を示す部分側面図で、図９（Ｂ）は、第４の変形例を示す部分側面図である。
【図１０】従来の留め具付き装身具を示す側面図である。
【図１１】図１０の装身具が用いられた様子を示す図である。
【符号の説明】
【００６５】
１        装身具本体部（装身具体の一部）
２        留め具部材
２ａ      留め具回転軸
２ｂ      凸部
２ｃ      凹部
２ｄ      巻き込み部
２ｅ      滑り止め部
３        留め具部材保持台座（装身具体の一部）
３ａ      留め具部材保持部
３ｂ      台座凸部（留め具部材保持部）
３ｃ      台座凹部（留め具部材保持部）
３ｄ      留め具部材保持隙間（留め具部材保持部）
３ｅ      両側保持隙間（留め具部材保持隙間）
４        磁石
４ａ      磁性体
５        押さえピン受け部
５ｂ      押さえピン挿入穴部
６        押さえピン部材
６ａ１    押さえピン頭部裏面
６ｂ      押さえピン軸部
１０      留め具付き装身具
１０ａ    装身具保持部
２０      留め具回転軸受け部
２０ａ    留め具回転隙間
３１      留め具部材保持部
３２      端部留め具回転軸受け部（留め具回転軸受け部）
３３      両側留め具部材保持部（留め具部材保持部）
４０      角形留め具部材
５０      装身具保持空間
【図１】
0003115872.tif 000003
【図２】
0003115872.tif 000004
【図３】
0003115872.tif 000005
【図４】
0003115872.tif 000006
【図５】
0003115872.tif 000007
【図６】
0003115872.tif 000008
【図７】
0003115872.tif 000009
【図８】
0003115872.tif 000010
【図９】
0003115872.tif 000011
【図１０】
0003115872.tif 000012
【図１１】
0003115872.tif 000013